(57)【要約】      （修正有）【課題】災害時などの緊急時には、便室となる部分を地上に引き上げ固定し非常用トイレとして使用する。【解決手段】多量のふん尿を収納し得る容積を有し、上面を開放しつつ地中に画成された便槽室7と、側壁パネル14,15をく字状に折曲して床パネル13、側壁パネル及び天井パネル12を平坦な形態に折り畳んでなり、前記便槽室の上面に配置して開放面を閉塞し得るトイレ家屋と、トイレ家屋の上面より広い面積を有し、トイレ家屋を被覆し得るカバー部材３を含み、トイレ家屋内を長手方向中央で仕切る仕切パネルと、該仕切パネルと直交してトイレ家屋内を幅方向に仕切る仕切パネルとにより、トイレ家屋内を複数の大便用トイレ室に区画し、該大便用トイレ室に整合して側壁パネルにドアで開閉自在としたドア取付部を形成し、天井パネルをカバー部材と共に吊り上げ側壁パネルを直立させ、更に妻パネル23,24を直立させて家屋の妻面を閉塞する。【選択図】        図１
2004251098.tif 000002
【特許請求の範囲】
【請求項１】
多量のふん尿を収納し得る容積を有し、上面を開放しつつ地中に画成された便槽室と、側壁パネルをく字状に折曲して床パネル、側壁パネル及び天井パネルを平坦な形態に折り畳んでなり、前記便槽室の上面に配置して開放面を閉塞し得るトイレ家屋と、
トイレ家屋内を長手方向中央で仕切る仕切パネルと、該仕切パネルと直交してトイレ家屋内を幅方向に仕切る仕切パネルとにより、トイレ家屋内を複数の大便用トイレ室に区画し、該大便用トイレ室に整合して側壁パネルにドアで開閉自在としたドア取付部を形成し、天井パネルをカバー部材と共に吊り上げて側壁パネルを直立させ、更に妻パネルを直立させて家屋の妻面を閉塞するようにしたことを特徴とする災害時用折り畳み式トイレ。
【請求項２】
前記側壁パネルは左右壁をそれぞれくの字状に折り畳み、該折り畳まれた背部分どうしを向けて設置し、該背間に前記トイレ家屋の長手方向に貫く天井パネルを支えるフレームを収納していることを特徴とする請求項１記載の災害時用折り畳み式トイレ。
【請求項３】
前記カバー部材の裾部は、便槽室の周囲に蛇腹状に折り畳まれ埋設されていることを特徴とする請求項１記載の災害時用折り畳み式トイレ。
【請求項４】
前記カバー部材の裾部は、前記天井パネルの吊り上げと共に前記蛇腹が解け傾斜を有した庇状になることを特徴とする請求項１、３記載の災害時用折り畳み式トイレ。
【請求項５】
前記カバー部材は塩化ビニールシートであることを特徴とする請求項１、３、４記載の災害時用折り畳み式トイレ。
【請求項６】
前記庇状の裾部はその端部に形成した孔に支柱を挿通させ支えるようにしたことを特徴とした請求項４記載の災害時用折り畳み式トイレ。
【請求項７】
前記便槽内には、トイレ家屋内部に設置するトイレ形成材料等の必要資材一式を収容していることを特徴とする請求項１記載の災害時用折り畳み式トイレ。
【請求項８】
前記仕切パネルは二枚のパネルを上下に合わせて接続し形成してることを特徴とする請求項１記載の災害時用折り畳み式トイレ。
【請求項９】
前記天井を支える支柱部材を少なくともトイレ家屋の内部中央部に設置したことを特徴とする請求項１記載の災害時用折り畳み式トイレ。
【請求項１０】
小便用トイレはトイレ家屋の一端部に外方に開放して設け、複数の小便器が幅方向に連続して設置したことを特徴とする請求項１記載の災害時用折り畳み式トイレ。
【請求項１１】
多量のふん尿を収納し得る容積を有し、上面を開放しつつ地中に画成された便槽室と、側壁パネルをく字状に折曲して床パネル、側壁パネル及び天井パネルを平坦な形態に折り畳んでなり、前記便槽室の上面に配置して開放面を閉塞し得るトイレ家屋と、
トイレ家屋内を長手方向で仕切る仕切パネルと、該仕切パネルと直交してトイレ家屋内を幅方向に仕切る仕切パネルとにより、トイレ家屋内を複数の大便用トイレ室に区画し、該大便用トイレ室に整合して側壁パネルにドアで開閉自在としたドア取付部を形成し、天井パネルをカバー部材と共に吊り上げて側壁パネルを直立させ、家屋の側面を作出するようにしたことを特徴とする災害時用折り畳み式トイレ。
【請求項１２】
便槽への出入口は便槽に対し直角方向へ設けたことを特徴とする請求項１または請求項１１記載の災害時用折り畳み式トイレ。
【請求項１３】
トイレ室内を幅方向に仕切る仕切パネルの挟持構造は、該仕切パネル上端部が接する天井パネルの内面に、仕切パネルの厚み方向を挟持する両面接着テープを有した旗蝶板を仕切パネルと直交する方向に接着し、仕切パネルを挟持する時は、一方の旗蝶板の接着を剥がすことで、旗蝶板の端側面部が垂れ下がり、その垂れ下がった端側面部間で、仕切パネルを挟持することを特徴とする請求項１１記載の災害時用折り畳み式トイレ。
【請求項１４】
側壁パネルは、ドア部材の高さとほぼ同じ高さの独立したパネルをドア部材の幅に対応する間隔をおいて配置し、高さ方向中央部でヒンジ連結により折曲自在に折り畳み可能な構造としたことを特徴とする請求項１または請求項１１記載の災害時用折り畳み式トイレ。
【発明の詳細な説明】
【０００１】
【発明の属する技術分野】
本発明は、大地震などの災害時に避難場所として予定されている学校や公園、体育館などに、通常は便槽となるべき部分を地中に予め埋設し、その便槽内には便所室を形成する部材等なる部分を収納しておき、そのトイレ室の上部には蓋板を取付け、その上部を駐輪場などとして使用し、そして、災害時などの緊急時には、トイレ室となる部分を地上に引き上げ固定し、非常用トイレとして使用する災害時用折り畳み式トイレに関する。
【０００２】
【従来の技術】
特に大地震や大火災等の震災後においては、地中に埋設された上下水道管の破損による水の供給停止および多数の家屋やビルが倒壊、もしくは火災による消火活動によって発生する水不足により水洗トイレが不足し使用不可になって復旧するまでの間大勢の人々が排便のために苦慮することになる。また、やむなく屋外に排便された場合には極めて不衛生な状態になり伝染病などの発生原因にもなりかねない。よって、このような場合には災害発生後に直ちにトイレを提供する事が望まれるが、だからと言って、いつこのような大災害が発生してトイレが必要になるかわからない。従って、簡易トイレまたはそのための資材を大量に準備しておくということと、大災害にも安全に保管しておくことが可能な場所を各地域毎にどのように配置確保しておいたら良いかが問題となっている。
【０００３】
特許文献１の災害時用組み立て式便所にあっては、組み立ての予備知識のない人がトイレを組み立てるのはかなりの困難性をともない、大きな便槽の設置が出来ないことからその設置数を多くせねばならず、設置数を多くすると結果的にその組立てに長時間を要することになってしまう。また、そのための組み立て作業人員の確保にも問題が出てくる。それから、完全に地中に埋設しておくことについては地上の利用を妨げないという利点はあるものの、長い年月の間にはその埋設場所がわからなくなってしまうという可能性がある。また、便槽内に雨水が浸入し溜まってしまう恐れもある。
【０００４】
また、特許文献２の災害時用組立式便所にあっては、地中に埋設した便槽内には組立に要する資材一式を収容しておくことができるが、地上にそのトイレの屋根部が露出されているので、その露出された部分の有効利用はなされてない。
【０００５】
また、特許文献３の非常用トイレにあっては、その上部がベンチとか花壇等として利用されるが、いずれも特許文献２および特許文献３同様に一人用の小規模なトイレであるために、その上部に占める面積も比較的狭い面積になってしまい、斬新的な利用方法が無い。
【０００６】
それから、特許文献４および特許文献５のマンホールを利用する非常用トイレにあっては、そのマンホール自体に収容できる容量が少なく大勢の人の排泄を収容しきれなくなってしまう恐れがある。つまり、一般的にマンホールの内部にある下水道管は本管以外は径が細く、且つその勾配が比較的緩やかな状態に形成されているので、大量に排泄されると流れず直ぐに詰まってしまうという問題と、悪臭気発生の問題が起こる。
【０００７】
【特許文献１】
実公平０４−０２３１５７号公報
【特許文献２】
特開平０９−２５０２５１号公報
【特許文献３】
特開平１０−２９５５８４号公報
【特許文献４】
特開平１１−０４７０３３号公報
【特許文献５】
特開平１１−１４０９５２号公報
【発明が解決しようとする課題】
そこで、本発明は、通常は便槽となるべき部分を避難場所として予定されている学校や公園などに予め埋設し、その便槽内にトイレ室を形成するための全ての組立部材を収容しておき、そのトイレ室の上部には蓋板を取付け、その上部を駐輪場などとして利用し、災害時などの緊急時には、トイレ室となる部分を地上に引き上げ固定し、非常用トイレとして使用する災害時用折り畳み式トイレを提供する。
【０００８】
【課題を解決するための手段】
上記課題を解決するためにこの発明が採った手段は、多量のふん尿を収納し得る容積を有し、上面を開放しつつ地中に画成された便槽室と、側壁パネルをく字状に折曲して床パネル、側壁パネル及び天井パネルを平坦な形態に折り畳んでなり、前記便槽室の上面に配置して開放面を閉塞し得るトイレ家屋と、トイレ家屋内を長手方向中央で仕切る仕切パネルと、該仕切パネルと直交してトイレ家屋内を幅方向に仕切る仕切パネルとにより、トイレ家屋内を複数の大便用トイレ室に区画し、該大便用トイレ室に整合して側壁パネルにドアで開閉自在としたドア取付部を形成し、天井パネルをカバー部材と共に吊り上げ側壁パネルを直立させ、更に妻パネルを直立させて家屋の妻面を閉塞するようにしたことを特徴とする。
【０００９】
また、側壁パネルは左右壁をそれぞれくの字状に折り畳み、該折り畳まれた背部分どうしを向けて設置し、該背間に前記トイレ家屋の長手方向に貫く天井パネルを支えるフレームを収納していることを特徴とする。
【００１０】
また、カバー部材の裾部は、便槽室の周囲に蛇腹状に折り畳まれ埋設され、天井パネルの吊り上げと共に前記蛇腹が解け傾斜を有した庇状になることを特徴とする。
【００１１】
また、カバー部材は塩化ビニールシートであって、庇状の裾部はその端部に形成した孔に支柱を挿通させ支えるようにしたことを特徴とする。
【００１２】
また、便槽内には、トイレ家屋内部に設置するトイレ形成材料等の必要資材一式を収容していることを特徴とする。
【００１３】
また、仕切パネルは二枚のパネルを上下に合わせて接続し形成していることを特徴とする。
【００１４】
また、天井を支える支柱部材を少なくともトイレ家屋の内部中央部に設置したことを特徴とする。
【００１５】
また、小便用トイレはトイレ家屋の一端部に外方に開放して設け、複数の小便器が幅方向に連続して設置したことを特徴とする。
【００１６】
また、この発明の災害時用折り畳み式トイレは、多量のふん尿を収納し得る容積を有し、上面を開放しつつ地中に画成された便槽室と、側壁パネルをく字状に折曲して床パネル、側壁パネル及び天井パネルを平坦な形態に折り畳んでなり、前記便槽室の上面に配置して開放面を閉塞し得るトイレ家屋と、トイレ家屋内を長手方向で仕切る仕切パネルと、該仕切パネルと直交してトイレ家屋内を幅方向に仕切る仕切パネルとにより、トイレ家屋内を複数の大便用トイレ室に区画し、該大便用トイレ室に整合して側壁パネルにドアで開閉自在としたドア取付部を形成し、天井パネルをカバー部材と共に吊り上げて側壁パネルを直立させ、家屋の側面を作出するようにしたことを特徴とする。
【００１７】
また、便槽への出入口は便槽に対し直角方向へ設けたことを特徴とする。
【００１８】
また、トイレ室内を幅方向に仕切る仕切パネルの挟持構造は、該仕切パネル上端部が接する天井パネルの内面に、仕切パネルの厚み方向を挟持する両面接着テープを有した旗蝶板を仕切パネルと直交する方向に接着し、仕切パネルを挟持する時は、一方の旗蝶板の接着を剥がすことで、旗蝶板の端側面部が垂れ下がり、その垂れ下がった端側面部間で、仕切パネルを挟持することを特徴とする。
【００１９】
また、側壁パネルは、ドア部材の高さとほぼ同じ高さの独立したパネルをドア部材の幅に対応する間隔をおいて配置し、高さ方向中央部でヒンジ連結により折曲自在に折り畳み可能な構造としたことを特徴とする。
【００２０】
【発明の実施の形態】
この発明の好ましい実施の形態を以下に説明する。この災害時用折り畳み式トイレは、地下に設置された便槽室の上を折り畳まれたトイレ家屋で塞いで天井パネルを地上に露出させ、その露出させた天井パネルをそれより広い面積で覆ったカバー部材と、前記折り畳まれたトイレ家屋の内部に二つ折りしたドア取付部を有した側壁パネルを収納し、非常時に、前記天井パネルと共にカバー部材を吊り上げて天井を形成し、且つ前記側壁パネルを立てると共に、該側壁パネルに複数の大便用トイレドアを形成し、該大便用トイレ内部中央部を長手方向二つに分断する横長の仕切パネルと、該長手方向の仕切パネルに直交し幅方向を複数の仕切パネルとで仕切って複数の大便用トイレ室を形成するようになっている。
【００２１】
また、側壁パネルは左右壁をそれぞれくの字状に折り畳み、該折り畳まれた背部分どうしを向けて設置し、該背間に前記トイレ家屋の長手方向に貫く天井パネルを支えるフレームを収納しているようになっている。また、カバーは塩化ビニールシートで形成されており裾部は、便槽室の周囲に蛇腹状に折り畳まれ埋設され、天井パネルの吊り上げと共に前記蛇腹が解け傾斜を有した庇状になっている。また、その庇状の裾部はその端部に形成した孔に支柱を挿通させ支えるようになっている。また、便槽内には、トイレ家屋内部に設置するトイレ形成材料等の必要資材一式を収容している。また、仕切パネルは二枚のパネルを上下に合わせて接続し、また、天井を支える支柱部材を少なくともトイレ家屋の内部中央部分に設置するようになっている。また、小便用トイレはトイレ家屋の一端部に外方に開放して設け、複数の小便器が幅方向に連続して設置するようになっている。
【００２２】
また、便槽への出入口は便槽に対し直角方向に設け、出入口を広く設置するようになっている。
【００２３】
また、トイレ室内を幅方向に仕切る仕切パネルの挟持構造は、該仕切パネル上端部が接する天井パネルの内面に、仕切パネルの厚み方向を挟持する両面接着テープを有した旗蝶板を仕切パネルと直交する方向に接着し、仕切パネルを挟持する時は、一方の旗蝶板の接着を剥がすことで、旗蝶板の端側面部が垂れ下がり、その垂れ下がった端側面部間で、仕切パネルを挟持するようになっている。
【００２４】
また、側壁パネルは、ドア部材の高さとほぼ同じ高さの独立したパネルをドア部材の幅に対応する間隔をおいて配置してなり、高さ方向中央部でヒンジ連結により折曲自在に折り畳み可能な構造になっている。
【００２５】
【実施例】
以下、本発明の第１実施例について、図面を参照して説明すると、まず、図１に本発明の第１実施例に係る災害時用折り畳み式トイレを地中に埋設した状態から、それを地上に吊り上げて組み立て〜完了するまでの概略の流れを説明する。図１（ａ）中において、（４）は便槽でありこの第１実施例では堀り込み式のコンクリートで造られ、底部および周壁の厚さは約３００ｍｍで造られ、それぞれの基本ユニットの内寸法は全体の長さが約６３００ｍｍ、幅が約２１００ｍｍ、そして深さが約１５００ｍｍ（任意）とからなる直方体の形状に造られる。
【００２６】
そして、このようにして造られた便槽（４）を図１（ａ）に示したように便槽（４）の上部開口部は地上（１）とほぼ同じ高さの位置まで埋設された後に蓋部材（１１）で塞いでおく。また、さらにその蓋部材（１１）の上から丈夫な防水加工を施した塩化ビニールシート等のカバー部材（３）で覆っておく。しかし、カバー部材（３）のみで覆ったままではその敷地部分が空き同然になってしまうので、その敷地部分を有効利用する目的で例えば、人工芝生（６）等を敷いてその上を駐輪場とか子供の遊び場等に利用できるようにする。それから、蓋部材（１１）を補強する目的でこの蓋部材（１１）の下面と便槽（４）の底部間に支柱（４１）を介在させる。なお、この支柱（４１）の先端が直接蓋部材（１１）の下面と当接する個所には当て部材を、また、支柱（４１）の下端が直接その底部に当接する個所には予め設置しておいたジャッキベース（４２）に当てるようにする。そのようにすることで支柱（４１）の高さの微調整が行えるようにしてある。
【００２７】
また、形成された便槽（４）の内部の便槽室（７）には例えば、吊り上げてトイレとして組立設置した時にトイレ室の組立部材（２）となる、各仕切り板（金網付）、大便器、小便器、ドアパネル類、支柱、支線、杭、面木、金づち、鋸、接着テープ、取手（蝶番付）その他避難の際に必要と考えられる例えば、消毒薬（手洗い、殺虫剤）、バケツ、洗面器等の部材も全て収容しておくようにする。
【００２８】
次に、図１（ｂ）は、災害発生時に蓋部材（１１）を便槽（４）を地中に埋設した付近に保管しておいた三股（図示しない）と吊り上げロープ（２０）等を使用して蓋部材（１１）を吊り上げている過程を示した図である。この図に示したように蓋部材（１１）を吊り上げていくと、その上に敷いたカバー部材（３）は、蓋部材（１１）の上に載置されたままの状態で吊り上げられるので、例えば、図１（ａ）に示したようにその裾を蛇腹状にして地中に埋設しておけば、その蛇腹状の部分は自然と所定長で垂れ下がり状態になる。そして、便槽室（７）への出入口（５０）が現れてくる。
【００２９】
また、蓋部材（１１）の内部に折り畳まれて収容されていたトイレ室を形成する側壁パネル（１４）および（１５）は、天井パネル（１２）が吊り上げられると共にその折り畳まれた部分が開放されてくの字状になり、それをさらに吊り上げるに従って垂直になりつつ１枚の連続した側壁パネルとして整えられる。そして、便槽（４）の上方開口部は蓋部材（１１）の下にあった床パネル（１３）で塞がれたままの状態になっているので、この段階でほぼトイレ室空間部（５）ができる。
【００３０】
次に、図１（ｃ）はトイレの完成状態を断面で示した断面図である。つまり、トイレの完成時には、天井周囲から垂れ下がっていたカバー部材（３）の裾はそれぞれ支柱（９）で支えられ、更にその支柱（９）は支線（１０）で杭（８）に張られて固定される。また、上述したようにカバー部材（３）の裾を支柱（９）で固定することで、そのカバー部材（３）の裾は一時的に雨等をしのぐ庇として利用することが出来るので好都合である。
【００３１】
図２は本発明の第１実施例に係る災害時用折り畳み式トイレの完成状態を上から見た図である。そして、図３は本発明の第１実施例に係るトイレ室を形成する蓋部材（１１）であり、折り畳んだ状態を示した斜視図であり、図４は図３で示した蓋部材（１１）の構造を説明するために長手方向に対し直角に切断した断面図である。そして、図５は図３で示した蓋部材（１１）のみを吊り上げた状態を説明した斜視図であり、図６は図５で示した蓋部材（１１）を吊り上げる途中状態を説明するために長手方向に対し直角に切断した断面図である。また、図７は図５で蓋部材（１１）を完全に吊り上げた後、両妻パネルを組み入れた状態を斜視図で示し、ドア部材を取付る様子を示した図であり、図８は図７の状態を正面図に示し、その地下に形成した便槽のみを断面に示した断面図である。
【００３２】
また、図９は本発明の第１実施例に係る災害時用折り畳み式トイレの組立状態を斜視図で示し、その内部を部分断面図で示したものである。そして、図１０は図７で示した妻パネル（２３）および（２４）の取付構造を示した図である。また、図１１〜図１３は図９で示した仕切パネルの組立方法を説明した図である。そして、図１４〜図１９は各仕切パネルの合わせ部を部分的に抜き出して詳細にその組立方法を説明した詳細組立の説明図である。図２０は図２で示した（Ｆ）部個所の詳細説明図である。そして、図２１は本発明の第１実施例に係る災害時用折り畳み式トイレの完成状態を上から見た概略の見取り図であり、図２２は図２１の状態より小便器用トイレ部分の床を外して開口させ便槽内部への出入口を形成した図である。
【００３３】
まず、図２に示したように本発明の第１実施例に係る災害時用折り畳み式トイレの完成状態を上部から見ると、カバー部材（３）は便槽（４）の周囲を充分の広さで覆っており、その周囲を覆っているカバー部材片（３ａ）〜（３ｄ）は、図１（ａ）で説明したように便槽（４）の周囲近傍に地中に埋設された部分から形成されている。つまりこの部分が地中に埋設されるためにはカバー部材（３）の周辺ｅ点とｆ点間は略Ｖの字状にスリットが入っているので、そのスリットでのみ切断されたそれぞれのカバー部材片（３ａ）〜（３ｄ）が蛇腹状になって地中に埋設し易くなる。つまり、蛇腹状に折り畳んだ時に互いの切断端面どうしが当たってしまうのを防ぐためである。そして、このようにして埋設されたカバー部材片（３ａ）〜（３ｄ）が組立完成時には庇となって形成されトイレを利用する人々を雨や日光を遮るための役目を果たす。
【００３４】
ではそのカバー部材片（３ａ）〜（３ｄ）が庇に組み立てられるまでの構造を以下に詳細に説明すると、まず、カバー部材片（３ｂ）および（３ｄ）にはその両端部にそれぞれ当て布（３９）が合わされてあり、その合わさった部分のみが二重になっている。よって、その合わされた二重の部分は強度的に一層その強さを増す。このようにしてあて布（３９）を取付ることで形成された二重の合わせ部分を使用する。なお、あて布（３９）はホック（４３）にてバタつきがないようにした。
【００３５】
では、あて布（３９）が実際にどのように取付いているかを図２中（Ｆ）部個所の詳細説明図である図２０を示して説明する。まず、あて布（３９）は予め略Ｖの字状にスリットの入れてあるカバー部材片（３ｃ）側の縁近傍に固定する。そして、この固定の際はあて布（３９）に形成されている支柱挿入孔（３３）を塞がれないようにして、例えば縫い合わせる等を施して固定しておく。そして、カバー部材片（３ｄ）側には、支柱挿入孔（３３）を形成しておく。また、あて布（３９）が重なるカバー部材片（３ｄ）は図に示すように複数個のホック（４３）が取付けてある。このホック（４３）は後述する支柱挿入孔（３３）どうしを重ねた際に、その重ね部が容易に外れないように、強制的に止めるためのものである。そして、実際の使用状態においては支柱挿入孔（３３）どうしを重ね合わせる。また、カバー部材（３）の周囲四隅にも支柱挿入孔（３２）が形成されている。
【００３６】
以上のように、形成された各支柱挿入孔（３２）および（３３）には、それぞれ支柱（９）の先端を差し込んで突っ支い棒状態になりカバー部材（３）を支持してる。そして、更に支柱挿入孔（３２）および（３３）に差し込まれた各支柱（９）はその上部付近から支線（１０）で地上に打設した杭（８）に引っ張られて固定される。このようにして四方八方に支線（１０）が張られカバー部材（３）は安定してテント状に便槽室（７）の上部に形成される。
【００３７】
次に、図２〜図２２を参照しながら、順を追ってその構造と組立方法について詳細に説明する。
【００３８】
図３〜図４に示した（１１）は便槽（４）の上方開口部を塞ぐ蓋部材であり、この蓋部材（１１）は周囲をＬ字型のフレーム枠（１７）で固定されている。そして、一番下側に床パネル（１３）、妻パネル（２３）および（２４）その上に側壁パネル（１４）および（１５）、更にその上に天井パネル（１２）が順々に重ねて置いてある。また、その重ねているほぼ中央部には、長手方向に貫く一本の吊り上げ（Ｃ）型溝型鋼からなる吊り上げフレーム（１６）がボルト等で固定されており、その（Ｃ）型溝型鋼の吊り上げフレーム（１６）の両側には側面パネル（１４）および（１５）が二つに折り畳んで重ねられ収容されている。また、床パネル（１３）の下面にはＬ型等辺山型鋼からなるアングル（３８）が図示しないボルト等により取付られている。
【００３９】
また、このように重ねられているそれぞれのパネル部材に対して図６に示したように、長手方向において、フレーム枠（１７）の内側に載置してあるあて部材（１８）と側壁パネル（１４）間は開角度自在なヒンジ（１９ｂ）で、さらに側壁パネル（１４）と（１５）間も開角度自在なヒンジ（１９ｂ）で、また、側壁パネル（１５）と天井パネル（１２）間は開角度９０度のヒンジ（１９ａ）等を用いてそれぞれ接続しておく。このようなヒンジ接続をしておくことで、この二つに折り畳んで重ねられている側面パネル（１４）、（１５）は、図５に示したように吊り上げフレーム（１６）に形成してある吊り上げ金具（３１）を孔（１６ａ）に通して吊り上げられることで、互いに内側を背にしたくの字状態から垂直状態になりつつその端部（１４ｂ）と（１５ｂ）とが当接されて互いの側壁パネルが１枚の側壁パネルに整い形成されていく。
【００４０】
最終的にこの側壁パネルは互いに垂直状態に整い形成された時に、側壁パネル（１４）の下端部（１４ａ）は、ヒンジ（１９ｂ）を介してあて部材（１８）の上端部（１８ａ）上に、また、側壁パネル（１５）の上端部（１５ａ）はヒンジ（１９ａ）を介して天井パネル（１２）の側面内（１２ａ）に当接される。そして、このようにして正面側および裏面側のそれぞれの側壁パネルが形成される。
【００４１】
次に、このようにして形成された側壁パネル（１４）および（１５）で覆われたトイレ室の両開口に対して、それぞれに妻パネルを取付る構造と、前面側と裏面側のそれぞれにドア部材を取付る構造を説明する。
【００４２】
図７に示したように（２３）および（２４）は妻パネルであり、この妻パネル（２３）および（２４）は一端を図１０に示したように床パネル（１３）の上面に、開角度９０度のヒンジ（１９ａ）を介して取付られているので、そのヒンジ（１９ａ）を支点としてそれぞれ外方９０度に開き起こすことで、簡単に壁面を形成することができ、その時に両妻パネル（２３）および（２４）の他端部は、天井パネル（１２）の内側で係止される。その係止方法としては、ヒンジ（１９ａ）は外側方向へ９０度以上開かないので、内側の押さえのみをしておけば良く、この押えについては後述する内部に組入れ形成する仕切パネルがその役目をするような構造になっているので、特に接着剤等を使用しなくても外れることはない。このようにして形成された天井パネル（１２）と両側に形成された側壁パネル（１４）および（１５）と床パネル（１３）とで囲まれたトイレ室の両開口には、妻パネル（２３）および（２４）が取付られる。ここで、妻パネル（２３）および（２４）が側壁パネル（１４）および（１５）内に取付られるとともに吊り上げフレーム（１６）の支えとしての役目をするが、強度的にその補強策として図７および図８に示したように柱（６１）を複数本設置する（この一実施例では大便器を設置してあるトイレ室内中央に等間隔に３本設置する。）。
【００４３】
次に、側壁パネル（１４）および（１５）にドア部材（２７）の取付方法を説明すると、ドア部材（２７）は前述したように別部材として便槽室（７）内に保管されているのでそれを使用する。側壁パネル（１４）および（１５）には既にドア部材（２７）の外形状に対応してドア取付部（２５）が形成されている。従って、ドア部材（２７）はそれぞれ形成されているドア取付部（２５）にはめ込むだけの簡単な作業で取付られるようになっている。
【００４４】
このドア部材（２７）の取付方法としては、例えば、ドア部材（２７）の一辺とドア取付部（２５）の周縁の一辺とが合わさり支点となって開く縦辺部分には、単純な構造で取り外しおよび引っ掛けで取付ができる抜き差し可能な旗蝶番を取付ておく。そのような旗蝶番を取付けておくことでこのドア部材（２７）の取付を簡素化してる。
【００４５】
つまり、ドア取付部（２５）の周縁の縦辺部分には受側（メス側）の旗蝶番を取付ておき、一方、そこに合わさるドア部材（２７）の縦辺には差し込み側（オス側）の旗蝶番を取付けておく。そのように互いに抜き差し自在の旗蝶番を取付ておくことによって、誰でも簡単にドア部材（２７）をドア取付部（２５）内にはめ入れ設置することができる。この一実施例では、ドア部材（２７）はトイレ室の前面側に５枚、裏面側に５枚、全部で１０枚設置できるように事前に側壁パネル（１４）および（１５）にドア部材取付部（２５）になる空間部が形成されている。
【００４６】
以上、説明してきたようにこの段階でほぼ直方体状のトイレ室の外観が完成することになる。そして、図８にはその正面図を示す。
【００４７】
しかし、実際に大勢の人々がこのトイレを利用した場合には、床パネル（１３）に相当の重圧が加わることになる。従って、その床パネル（１３）の補強策としては図８の便槽（４）の断面図に示したように、床パネル（１３）の裏面と便槽（４）の底部との間に複数の支柱（４１）を立てて支えにする（この一実施例では２本設置する。）。なお、この支柱（４１）の設置に当たって具体的には、支柱（４１）の先端部を直接床パネル（１３）の裏面に当てるが、そのまま当てるとその当てられた床パネル（１３）の裏面部分が損傷するので、その損傷を防止するために支柱（４１）の先端部が当接する個所には、金属制のＬ字状のアングル（３８）を設置しそれに当てる。また、支柱（４１）の根本は支柱全長の長さを微調整することが可能なジャッキベース（４２）を土台部材として設置しておく。
【００４８】
次に、大便器、小便器を設置した場所に仕切パネルを形成する構造を説明する。まず、大便器はトイレの前面側に５個、裏面側に５個、それから小便器は妻パネル（２３）の外側に面して設置される。以下、それらの取付について詳細に説明していくと、まず、大便器（２１）の取付に際しては予め床パネル（１３）上にその取付孔である大便器取付部（２６）が形成されているので、その大便器取付部（２６）に大便器（２１）をはめ込むだけで簡単に設置することが可能な構造にしてある。
【００４９】
次に小便器（２２）は妻パネル（２３）の外側に面して小便器取付部（２８）に設置し、予めその場所には排尿口（２９）が複数個形成されている（この一実施例では３個形成する。）。従って、その排尿口（２９）の上部にそれぞれ小便器（２２）とそれぞれ尿を排出する排尿管（３０）を取付るだけで簡単に形成することが可能である。
【００５０】
そして、このような方法で形成された小便所の両側部は側壁パネル（１４）および（１５）の一部で覆われるが、小便所の入口は簡単な構造にする目的から特に部材等で覆ってなく開放状態にしてある。しかし、この場所はこれに限ったものではなく、必要に応じてドア部材またはカーテン等を取付ても良い。次に、大便器（２１）を設置した場所をそれぞれ小部屋に仕切るが、その前にトイレ室内の強度、特に天井パネル（１２）を支える目的で、床パネル（１３）と吊り上げフレーム（１６）間に柱（６１）を複数本設置しておく（この一実施例では横方向に３本等間隔に設置してある。）。
【００５１】
そして次に、仕切パネルの設置を開始する。図９はトイレ室内に各仕切パネルを組み込れた状態を斜視図で示したものであるが、その仕切パネルのうち、トイレ室内の中心にはトイレ室内を横長の方向に分断するように延び設置されている仕切パネル（３５）および（３７）と、その下側に当接されている仕切パネル（３４）および（３６）が設置されており、更に、この仕切パネル（３５）、（３７）、（３４）、（３６）に対し、その仕切パネルに直交する方向、つまりトイレ室内の幅方向にそれぞれ複数に分断する仕切パネルで仕切られている。
【００５２】
本来このような仕切パネルを形成する場合は、まず、横長の方向に所定の幅を有した１枚のパネルを設置し、次に、この設置したパネルに直交するように複数の仕切パネルをそれぞれ所定間隔に配置すべきあるが、前述したようにこれらのパネル部材は、便槽（４）内に収容されるのと、ドアの開口部より内部へ搬入するためにその外形寸法に制約がある。よって、仕切パネルをある程度小さく最小限の大きさに分解せざるを得ないので、結果的には上述したように、横長の方向の仕切パネルは（３５）、（３７）、（３４）、（３６）の四枚に分割したものを接続して使用する。また、仕切パネルをこのようにある程度小さく最小限の大きさに分解しておく理由としては、最終的にこのトイレの使用目的が達成し役目を終えた後は、個々の部材を再使用、また、他へ転用するために解体しやすいようにも配慮している。なお、柱（６１）の保管方法としては天井パネル（１２）とカバー部材（３）の間に並べておく。
【００５３】
また、その横長の仕切パネル（３５）、（３７）、（３４）、（３６）に直交してそれぞれ所定間隔に配置し取付る幅方向に分断する仕切パネルについても、その上下部を（４７）および（４６）の二枚に分割し、それぞれを組立ることにした。この組立方法を以下に説明する。
【００５４】
図１１は横長の仕切パネルを形成する組立方法を示した図である。この横長の仕切パネルはそれぞれ上端部に金網（４０）が取付られており、この金網（４０）内には後述する電灯が内挿される。また、横長の仕切パネルは左右上下四つに分割されており、この図１１（ａ）には分割された四つの仕切パネルを組合せる分解斜視図を、また、図１１（ｂ）にはこれらの組合せが完了した仕切パネルの斜視図を示した。
【００５５】
まず、これらの仕切パネルの組立にあっては、各仕切パネルの下部にはこの仕切パネルを固定する面木と呼ばれる三角柱状の棒がそれぞれ取付られている。この面木は仕切パネルの幅方向の寸法に合わせて取付られているが、面木を最初から取付ける部材側に取付けておいても良い。この一実施例では組立を簡単にするために最初から仕切パネル側に面木を取付けておく方法をとる。その合わせ構造とその固定方法を、それぞれの設置個所毎に詳細図に示し説明する。
【００５６】
図９に示した（Ａ）部個所の詳細組立の説明を図１１〜図１４で、更に図１１に示した（Ｂ）部個所および（Ｃ）部個所の詳細組立の詳細を図１７および図１８を参照しながら説明すると、まず、図１１（ａ）の左側に図示したように、上部に位置する仕切パネル（３５）を下部に位置する仕切パネル（３４）に、また、その右側に図示したように、上部に位置する仕切パネル（３７）を下部に位置する仕切パネル（３６）に互いに合わせ込むことで固定しておく。そして、このようにして形成された左右の仕切パネルを互いに合わせることで、横長の仕切パネルを形成するようにしている。
【００５７】
そこで、具体的に図１１（ａ）の左側に図示した仕切パネルの組立方法を先に説明すると、それぞれの面木（３５ｄ）〜（３５ｆ）と面木（３４ｄ）〜（３４ｆ）は互いにその面木を合わせ込むことで固定されるようになっている。先に、仕切パネル（３５）に形成されている面木（３５ａ）および（３５ｄ）と、仕切パネル（３４）の面木（３４ｄ）および（３４ａ）とが合わせ込みで固定される部分を、（Ｂ）部個所の部分詳細の説明図である図１７を基に説明すると、図１７（ａ）に示した面木（３５ａ）および（３５ｄ）と、図１７（ｂ）に示した面木（３４ｄ）および（３４ａ）は、それぞれ一本の面木から形成されており面木（３５ａ）の側面には、仕切パネル（３５）が釘等を打設して固定されている。
【００５８】
一方、その下部に位置する面木（３４ａ）の側面には、仕切パネル（３４）が釘等で固定されている。このような状態に形成されている面木（３５ａ）および（３５ｄ）を面木（３４ｄ）および（３４ａ）に合わせ込んで固定するようになっている。そして、この固定方法としては面木（３５ｄ）の面（３５ｄ−１）に面木（３４ｄ）の面（３４ｄ−１）を合わせつつ、仕切パネル（３５）の端面（３５ｃ）と仕切パネル（３４）の端面（３４ｃ）とを当接させるようにする。
【００５９】
このようにして組合された面木（３５ａ）および（３５ｄ）と、面木（３４ｄ）および（３４ａ）は、図１１（ｂ）に示したように、一本の合体柱（５５）となって上部に位置した仕切パネル（３５）と下部に位置した仕切パネル（３４）とを互いに保持する。同様な方法で対向する側に、面木（３７ａ）および（３７ｄ）と、面木（３６ｄ）および（３６ａ）とを組合せた合体柱（６０）が形成される。
【００６０】
また、この合体柱（５５）の保持状態を上から見るとその上端面部は上端部（３５ａ−ｐ）と（３４ｄ−ｐ）とが互いに面位置になり、側壁パネル（３４）および（３５）に当接する面木の面は面（３５ａ−２）と面（３４ａ−２）とが隣接されて互いに合わさることで広い面積を確保するようになっている。
【００６１】
同様にして、面木（３５ｅ）と（３４ｅ）とを組合せ込んで固定する（Ｃ）部個所の詳細の組立方法を図１８に基づき説明する。この場合も上述した面木（３５ｄ）と面木（３４ａ）との固定方法と同様に、面木（３５ｅ）の面（３５ｅ−１）に面木（３４ｅ）の面（３４ｅ−１）を合わせつつ、仕切パネル（３５）の端面（３５ｃ）と仕切パネル（３４）の端面（３４ｃ）とを当接させるようにする。そして、このようにして組合された面木（３５ｅ）と面木（３４ｅ）は、図１１（ｂ）に示したように、一本の合体柱（５６）となり上部に位置した仕切パネル（３５）と下部に位置した仕切パネル（３４）とを互いに保持する。また、この時に合体柱（５６）を上から見るとその上端面部は、上端部（３５ｅ−ｐ）と（３４ｅ−ｐ）とが互いに面位置になる。そして、同様な方法で面木（３５ｆ）と面木（３４ｆ）とで合体柱（５７）を、面木（３５ｅ）と面木（３６ｆ）とで合体柱（５８）を、面木（３７ｆ）と面木（３６ｅ）とで合体柱（５９）をそれぞれ形成する。
【００６２】
以上のような組合せ方法で図１１に示した左側の横長の仕切パネル（３５）および（３４）が形成される。次に同図に示されている右側の横長の仕切パネル（３７）および（３６）の組立方法であるが、上述してきた左側の横長の仕切パネル（３５）および（３４）とその構造が同一なので、その組合せ方法についてはその説明を省略する。
【００６３】
以上のような組合せをした左右横長の仕切パネルの設置方法は、仕切パネル（３５）の端面（３５ｂ）と仕切パネル（３７）の端面（３７ｂ）とを並べ、また、仕切パネル（３４）の端面（３４ｂ）と仕切パネル（３６）の端面（３６ｂ）とを並べて、図９の（Ｅ）部個所に示したようにそれぞれ対向した柱（６１）の面に当接させる。（図１１（ｂ）に示した矢印（ｇ）の方向で柱（６１）に当接させる。）
【００６４】
つまり、図１５に示したように、仕切パネル（３７）に取付た面木（３７ｂ）および仕切パネル（３６）に取付た面木（３６ｂ）と、仕切パネル（３５）に取付た面木（３５ｂ）および仕切パネル（３４）に取付た面木（３４ｂ）とをそれぞれ図に示したように柱（６１）の面に当接させる。このような構造をとることによって、面木（３５ｂ）、（３４ｂ）の隣接する面どうしが広くなり、且つ面木（３７ｂ）、（３６ｂ）の隣接する面どうしも広くなる。よって、両仕切パネル（３５）、（３７）はこのように互いに広く形成された面木の面どうしで柱（６１）を挟んで係止される。また、このようにして形成された横長の下側に位置している仕切パネル（３４）および（３６）の下部には、床パネル（１３）面上に直立させ設置するために下部全体にわたって面木（３４ｇ）および（３６ｇ）が取付される。
【００６５】
次に、横長の仕切パネル（３５）および（３４）とからなる合体柱（５５）と、仕切パネル（３７）および（３６）とからなる合体柱（６０）とがそれぞれ柱（６１）に当接する構造について、図９に示した（Ｄ）部の詳細組立説明図である図１６を用いて以下に説明すると、仕切パネル（３５）および（３４）に取付た面木（３５ｄ）および（３４ｄ）は、この図に示したように妻パネル（２４）の内面に当接した柱（６１）の内面に当接する。このような構造をとることによって、面木（３４ｄ）および（３５ｄ）の隣接する面どうしが広くなるので、安定的に柱（６１）の内面に係止される。この係止方法は対向する面側、つまり、妻パネル（２３）に当接した柱（６１）と仕切パネル（３７）および（３６）との係止構造についても同様の技術を用いて係止するのでこの説明を省略する。
【００６６】
次に、図９に示したように設置された仕切パネル（３４）および（３５）に対し、直交した所定位置に所定間隔で形成される幅方向に介入する縦の仕切パネルの形成方法を図１２および図１３に基づき説明する。これらの縦の仕切パネルは横長の仕切パネル面にそれぞれ取付た面木で保持する構造になっている。ここで複数枚にわたる縦の仕切パネルのうち、横長の仕切パネルをトイレ室空間部（５）横方向に二分するようにセンターに設置しその手前側列に取付る縦の仕切パネル（４４）および（４５）と、後側列に取付る縦の仕切パネル（４６）および（４７）とでは、それぞれ横長の仕切パネルに当接する縦の仕切パネル端面部の形状が異なってくるので、その部分を詳細に説明する。
【００６７】
図１２は縦の仕切パネルを形成する組立方法を示した図である。この縦の仕切パネルはそれぞれ上部に金網（４０）が取付られており、この金網（４０）内には後述する電灯が内挿される。また、この縦の仕切パネルは左右上下に分割されており、このうち図１２（ａ）には手前側列に設置する仕切パネルの分解斜視図を、また、図１２（ｂ）にはそれを組合せが完了した仕切パネルの斜視図を示した。
【００６８】
まず、この仕切パネルの組立にあっては、前述した横長の仕切パネル同様に仕切パネル（４５）の左側つまり手前側列の側壁パネル（１４）および（１５）に当接する側に、面木（４５ａ）および（４５ｄ）が取付られている。そして、右側には面木が無く仕切パネル（４５）の端面（４５ｂ）が露出したままの状態となっており、最終的に組み上がった状態、つまり、図１２（ｂ）の状態では、（５２）は面木（４５ａ）、（４５ｄ）および面木（４４ｄ）、（４４ａ）とから形成された合体柱であり、その反対側に設置された（５１）は、面木（４４ｅ）および（４４ｂ）とから形成されている。
【００６９】
ここで、仕切パネル（４５）の端面（４５ｂ）が面木（４４ｅ）および（４４ｂ）に当接され組み込まれる部分、つまり、（Ｇ）部個所の詳細組立の説明を図１９に基づき説明をする。図１９（ａ）に示したように仕切パネル（４５）の端面（４５ｃ）と、図１９（ｂ）に示したように仕切パネル（４４）の端面（４４ｃ）とを当接させつつ、仕切パネル（４５）の端部（４５ｂ−１）と面木（４４ｅ）の面（４４ｅ−１）とを合わせ釘等で固定しておく。そのように組み込み合わせると、図１２（ｂ）に示したように、（５２）が面木（４５ａ）および（４５ｄ）と面木（４５ｄ）および（４５ａ）とから形成された合体柱になる。しかし、その反対側に設置された（５１）は、面木（４４ｅ）および（４４ｂ）のままになっている。
【００７０】
また、図１３（ａ）には後面側に設置する仕切パネルの分解斜視図を、また、図１３（ｂ）にはそれを組合せて完了した仕切パネルの斜視図を示す。
【００７１】
まず、この仕切パネルの組立に当たっては、前述した横長の仕切パネル同様に仕切パネル（４５）の右側つまり後側列の側壁パネル（１４）および（１５）に当接する側に、面木（４７ａ）および（４７ｄ）が取付られている。そして、左側には面木が無く仕切パネル（４７）の端面（４７ｂ）が露出したままの状態になり、最終的に組合せた状態、つまり、図１３（ｂ）の状態では、（５３）は面木（４７ａ）および（４７ｄ）と面木（４６ｅ）および（４４ｂ）とから形成された合体柱であり、その反対側に設置された（５４）は、面木（４６ｅ）および（４６ｂ）のままになっている。
【００７２】
ここで、仕切パネル（４７）の端面（４７ｂ）と面木（４６ｅ）とが組合さって取付される構造については、図１９に示した（Ｇ）部個所の詳細組立の説明内容と同一なので、その説明を省略する。
【００７３】
以上説明してきたように、横長の仕切パネル（３４）および（３５）とそれに直交する縦の仕切パネル（４４）および（４５）をそれぞれ組み立ててきたが、最終的には図９に示したようにトイレ室内部に互いに組合せていく。その組合せ方法を図９中に記載した（Ａ）部個所を例にとってその詳細組立の説明を図１４を用いて説明する。
【００７４】
図１４は横長の仕切パネル（３５）に対して、その手前側列と後側列にそれぞれ仕切パネル（４５）と仕切パネル（４７）の両端部を当接させて固定した状態を示した図である。この当接の際、仕切パネル（４５）の内側に設置される端部には、図示したように面木（４４ｅ）が設置されており、また、反対面側の仕切パネル（４７）の内側に設置される端部にも、図示したように面木（４６ｅ）が設置されている。
【００７５】
そして、更にこの仕切パネル（４５）および（４７）が当接される横長の仕切パネル（３４）および（３５）の面には、既に前述したように面木（３４ｆ）および（３５ｆ）が設置されているので仕切パネル（３４）および（３５）を両側から挟み込む状態になると共に、面木（３４ｆ）および（３５ｆ）も仕切パネル（３４）および（３５）を支持するように互いの面木どうしが対角線上に集結されるので安定して直立させることができる。
【００７６】
また、横長の仕切パネル（３４）および（３６）と、縦の仕切パネルを形成している仕切パネル（４４）と（４６）とが床パネル（１３）と接する底部には、それぞれ面木が取付けてあるので、これらの仕切パネル群は、より安定してトイレ室内に安定的に自立させることができる。また、これらの仕切パネル群においては、両側に設置した側壁パネル（１４）および（１５）は、床パネル（１３）と天井パネル（１２）に開角度９０度のヒンジ（１９ａ）を介して接続されているので、そのヒンジ（１９ａ）から受ける弾圧で常に内方向への反発力が作用している。また、妻パネル（２３）および（２４）においてもその底部は、床パネル（１３）とは開角度９０度のヒンジ（１９ａ）を介して取付られているので、この妻パネル（２３）および（２４）もそのヒンジ（１９ａ）から受ける弾圧で常に内方向への反発力が作用している。
【００７７】
以上説明したように、各側壁パネルの全てにおいては、それぞれトイレ室の内側方向への弾圧力を受けているので、その中に組み込まれている各仕切パネルは、安定してトイレ内部に収まることになる。
【００７８】
図２１はこのようにして形成され完成した本発明の災害時用折り畳み式トイレを上から見た図であるが、最後に各仕切パネルの上部に設置した金網（４０）内に電灯（４８）を電気配線（４９）にすずらん灯のように接続して列ねたものを組み入れる。そして、この電気配線（４９）には図示しない自家発電装置で発電された電気が供給されることになる。なお、臭気対策として、この電気配線（４９）に図示してないが換気扇等を側壁パネル（３４）、（３５）および（４６）、（４７）の面に取付るようにしても良い。
【００７９】
また、説明が前後するが図２２に示したように、トイレ室を形成した床パネル（１３）で、小便器を設置する場所として確保されていた小便器取付部（２８）の場所は、取手（２８ａ）および（２８ｂ）を持って引き上げることで取り外し自由にできる構造になっている。従って、この小便器取付部（２８）を取り外した後に、作出された孔（５０）は、便槽室（７）内に前述したような保管物等を出し入れすために利用する便槽室（７）への出入り口となる。
【００８０】
図２３は本発明の第２実施例に係る災害時用折り畳み式トイレの見取り図である。この第２実施例が前述した第１実施例と相違する点は、主に次に挙げる１１項目の改善にある。
【００８１】
第１番目の項目としては、まず、トイレ室内に車椅子が入るスペースを確保したこと、第２番目の項目としては、トイレ室内において、床パネルと吊り上げフレーム間に設置する柱の位置決めを簡単な構造にしたこと、第３番目の項目としては、トイレ室内に設置する各仕切パネルの組合せを簡素化し、取付を簡単にしたこと、第４番目の項目としては、第１実施例では床パネルにヒンジを介して折り畳みされていた妻パネルを別部材で独立形成し、取付を簡素化したこと、第５番目の項目としては、側壁パネルは、ドア部材の高さとほぼ同じ高さの独立したパネルをドア部材の幅に対応する間隔をおいて配置してなり、各側壁パネルは、第１実施例と同様に高さ方向中央部でヒンジ連結により折曲自在にされ、折り畳み可能な構造となっており、さらにこの側壁パネルを補強部材および補強金具にて補強したこと、第６番目の項目としては、天井パネルを補強部材にて補強したこと、第７番目の項目としては、トイレ室内の各仕切パネル上端部と、天井パネルの内面との押さえ箇所に旗蝶番を使用することで簡素化したことである。
【００８２】
そして、第８番目の項目としては、便槽を第１実施例より若干大きく形成し、便槽と直角方向に出入口を別途設けたこと、第９番目の項目としては、吊り上げロープを予め天井パネルに備え付けにしたこと、第１０番目の項目としては、トイレドアの止め具として、内側にスライド鍵を付け、トイレ組立時や不使用時において、不用意にドアが開閉するのを防止する策として上／下辺部近傍に磁石を取付けたこと、第１１番目の項目としては、小便器の取付に蝶ナットを使用（工具不要）し手作業で締付け取付たことである。
【００８３】
次に、上述した第１実施例と相違する第１番目〜第１１番目の項目の構造を以下に説明する。まず、第１番目の項目として大きな相違点である、車椅子が入るスペースは、図２３〜図２４に示したように小便器取付部（１２８）と反対側に小部屋に区画された大便用トイレ室の約４倍程の面積のスペース空間部Ｒを確保し、その内部に所定の便器および手すり等車椅子の使用者に支障の無い設備を設置した。このスペース空間部Ｒの形成方法については、図２４〜図３２に示し説明する。
【００８４】
図２４〜図３２はトイレ室内における側壁パネル、妻パネルおよび室内を横方向に仕切る仕切パネル、室内を幅方向に仕切る仕切パネルの取付構造を示した図である。つまり、これらの図で前述した本発明の第２実施例に係る第２番目〜第７番目の項目として記載したトイレ室内における柱の位置決め、各仕切パネル、妻パネルの取付、側壁パネルの取付および各仕切パネルと天井パネルとの押え構造に関して説明する。
【００８５】
まず、これらの構造で基本となる柱の取付位置を図２３の（Ｋ）部〜（Ｎ）部で示し、トイレ室内を横方向に仕切る仕切パネルと、幅方向に仕切る仕切パネルの合わせ目を同図に（Ｓ）部で示した。これらの構造を以下に説明する。
【００８６】
第１実施例の両妻パネルは、床パネルにそれぞれヒンジを介して取付られており、天井パネルが吊り上げられるのと同時に、床パネルから両妻パネルを引き起こし、引き起こされた両妻パネルの端部が、両側壁パネルの内面と天井パネルの内面とにそれぞれ当接されて係止する構造をとっていた。
【００８７】
しかし、本第２実施例では、さらにこれらの係止する強度を改善する目的で、この妻パネルを柱（Ｋ）、柱（Ｎ）を中心に左右にそれぞれ２枚に分割して取付る構造にした。まず、図２４に示したように柱（Ｋ）を中心とした取付構造を説明すると、柱（Ｋ）の両側面には、独立的に形成した２枚のパネル、幅寸法約３００ｍｍ、高さ寸法約１８００ｍｍ、厚み寸法約６６ｍｍに形成された仕切パネル（１３５−１）と、幅寸法約６００ｍｍ、高さ寸法約１８００ｍｍ、厚み寸法約６６ｍｍに形成された仕切パネル（１３５−２）が取付られている。仕切パネル（１３５−１）および（１３５−２）のそれぞれ底辺部には、図示したように各ピン（１７１）が所定の金具を介して取付られており、各ピン（１７１）の先端はそれぞれ床パネル（１１３）に形成した穴に差し込んで位置決めされつつ係止される構造になっている（図２７参照）。
【００８８】
また、このようにして床パネル（１１３）に取付られた仕切パネル（１３５−１）および（１３５−２）の上端部（ａ）〜（ｂ）は、天井パネル（１１２）の内面側に取付られた補強金具（１７０）の内側面に当接される。そして、その上端部（ａ）および（ｂ）は、天井パネル（１１２）に予め両面テープ等で貼付しておいた旗蝶番（１１９）の片側をテープを剥がし、そのテープの剥がされた旗蝶番（１１９）の片側が垂れ下がった状態になっている端側面部を利用して、仕切パネル（１３５−１）および（１３５−２）を挟持し固定する構造になっている。
【００８９】
つまり、仕切パネル（１３５−１）および（１３５−２）は天井パネル（１１２）に取付た補強金具（１７０）の内側と旗蝶番（１１９）の垂れ下がり部の端側面部との間で挟持するようになっている。また、柱（Ｋ）部はその頭部空間部（ｖ）に突起（Ｋｂ）を突出させた構造になっており、天井パネル（１１２）の裏面に設置されている吊り上げフレーム（１１６）は、その外形状を空間部（ｖ）に嵌合する構造に形成されている。そして、予め吊り上げフレーム（１１６）には突起（Ｋｂ）に対応させた位置に嵌合孔（図示しない）を形成してあるので、柱（Ｋ）は吊り上げフレーム（１１６）に固定されると共に、柱（Ｋ）の両側面に設置した２つの仕切パネル（１３５−２）で挟持される。
【００９０】
また、柱（Ｋ）の突起（Ｋａ）は、手前に位置する仕切パネル（１３５−２）の端面に形成されている穴に嵌合し係止される構造になっている。以上は柱（Ｋ）部を中心とした仕切パネル（１３５−１）および（１３５−２）の取付構造図であるが、その反対側に位置する柱（Ｎ）部についても同様の構造であるのでその構造図と説明を省略する。
【００９１】
次に、柱（Ｌ）を中心として取付る仕切パネルの取付構造を図２５に示し説明すると、柱（Ｌ）の両側面には前述した柱（Ｋ）および（Ｎ）に当接したものと同一の形状のパネル、つまり、幅寸法約３００ｍｍ、高さ寸法約１８００ｍｍ、厚み寸法約６６ｍｍに形成された仕切パネル（１３５−１）と、幅寸法約６００ｍｍ、高さ寸法約１８００ｍｍ、厚み寸法約６６ｍｍに形成された仕切パネル（１３５−２）が取付られる。そして、仕切パネル（１３５−１）および（１３５−２）の底辺部には、それぞれ前述同様に各ピン（１７１）が所定の金具で取付られており、各ピン（１７１）の先端はそれぞれ床パネル（１１３）に形成した穴に差し込んで位置決めされつつ係止される構造になっている（図２７参照）。
【００９２】
また、このようにして床パネル（１１３）に取付られた仕切パネル（１３５−１）および（１３５−２）の上端部（ａ）〜（ｂ）は、予め天井パネル（１１２）の内面側に対向して取付られた旗蝶番（１１９）の側部間内に当接される。（旗蝶番（１１９）は両面接着テープ等で固定しておく。）そして、その上端部（ａ）および（ｂ）は、天井パネル（１１２）にその固定されている旗蝶番（１１９）の片側のみの接着テープを剥がすと、そのテープの剥がされた旗蝶番（１１９）の片側が垂れ下がった状態になる。その垂れ下がった状態になった旗蝶番（１１９）の端側面部を利用して、仕切パネル（１３５−１）および（１３５−２）を挟持し固定する構造になっている。
【００９３】
つまり、仕切パネル（１３５−１）および（１３５−２）は天井パネル（１１２）に対向させて取付た旗蝶番（１１９）間で挟持するようになっている。また、柱（Ｌ）部はその頭部空間部（ｖ）に突起（Ｌｂ）を突出させた構造になっており、天井パネル（１１２）の裏面に設置されている吊り上げフレーム（１１６）は、その外形状を空間部（ｖ）に嵌合する構造に形成されている。そして、予め吊り上げフレーム（１１６）には突起（Ｌｂ）に対応させた位置に嵌合孔（図示しない）を形成してあるので、柱（Ｌ）は吊り上げフレーム（１１６）に固定されると共に２つの仕切パネル（１３５−２）で挟持される。また、柱（Ｌ）の突起（Ｌａ）は、手前に位置する仕切パネル（１３５−２）の端面に形成されている穴に嵌合し係止される構造になっている。柱（Ｌ）面のスペース空間部（Ｒ）の反対側面には、後述する横パネルが当接される。
【００９４】
また、図２６に示したように、柱（Ｍ）についても同様に、柱（Ｍ）の両側には前述した柱（Ｋ）、柱（Ｎ）および（Ｌ）に当接したものと同一形状の仕切パネル（１３５−１）と、仕切パネル（１３５−２）がそれぞれ取付られる。そして、その仕切パネル（１３５−１）および（１３５−２）の底辺部には、図示したようにそれぞれ前述同様各ピン（１７１）が所定の金具を介して取付られており、各ピン（１７１）は、それぞれ床パネル（１１３）に形成した穴に差し込まれて位置決めされつつ係止される構造になっている（図２７参照）。
【００９５】
また、このようにして床パネル（１１３）に取付られた仕切パネル（１３５−１）および（１３５−２）の上端部（ａ）〜（ｂ）は、予め天井パネル（１１２）の内面側に取付られた旗蝶番（１１９）の側面部間内に当接される。（旗蝶番（１１９）は両面接着テープ等で固定しておく。）そして、その上端部（ａ）および（ｂ）は、天井パネル（１１２）にその固定されている旗蝶番（１１９）の片側のみの接着テープを剥がすと、そのテープの剥がされた旗蝶番（１１９）の片側が垂れ下がった状態になる。その垂れ下がった状態になった旗蝶番（１１９）の端側面部を利用して、仕切パネル（１３５−１）および（１３５−２）を挟持し固定する構造になっている。
【００９６】
つまり、仕切パネル（１３５−１）および（１３５−２）は天井パネル（１１２）に対向させて取付た旗蝶番（１１９）間で挟持するようになっている。また、柱Ｍ部はその頭部空間部（ｖ）に突起（Ｍｂ）を突出させた構造になっており、天井パネル（１１２）の裏面に設置されている吊り上げフレーム（１１６）は、その外形状を空間部（ｖ）に嵌合する構造に形成されている。
【００９７】
そして、予め吊り上げフレーム（１１６）には突起（Ｍｂ）に対応させた位置に嵌合孔（図示しない）を形成してあるので、柱（Ｍ）は吊り上げフレーム（１１６）に固定されると共に２つの仕切パネル（１３５−２）で挟持される。また、柱（Ｍ）の突起（Ｍａ）は、手前に位置する仕切パネル（１３５−２）の端面に形成されている穴に嵌合し係止される構造になっている。そして、柱（Ｍ）面の仕切パネル（１３５−２）が当接する面と直角に位置する面には、後述する横パネルがそれぞれ当接される。
【００９８】
柱（Ｌ）〜（Ｎ）面に当接するこれらの横パネルは、（Ｓ）部で直交する縦パネルと共に組立構造を大幅に簡素化し組立時間の短縮を図ったものである。この横パネルと縦パネルとが直交する（Ｓ）部箇所の組立構造については、図２８〜図３１にその詳細を示し説明する。
【００９９】
横パネルと縦パネルとが直交する（Ｓ）部箇所は、図２３に示したように、柱（Ｌ）と柱（Ｍ）間および柱（Ｍ）と柱（Ｎ）間の２箇所になる。
【０１００】
また、これらの横パネルと縦パネルとが直交する（Ｓ）部箇所の中心部は、横パネルと縦パネルとが互いに切欠いてあるので、図３１に示したようにその交差したパネルの端部がちょうど凹部状（Ｐ）に形成される。そして、最終的に本発明の災害時用折り畳み式トイレの完成時には、この凹部状（Ｐ）に電灯（１４８）が設置されることになる。
【０１０１】
以下に横パネルと縦パネルとが直交する（Ｓ）部箇所の組立構造を説明する。
【０１０２】
図２８は柱Ｌと柱（Ｍ）との間に横パネルと縦パネルとを直交させて組立る構造を示したものである。まず、先に柱（Ｌ）および（Ｍ）を床パネル（１１３）の所定位置に立設し、その間の中心部に少なくともパネル幅寸法の１／２の寸法までスリット（１５７）を形成し、その形成したスリット（１５７）を中心にして一方面側を仕切パネル（１３４）に，他方面側を仕切パネル（１３６）とし形成する。
【０１０３】
そして、形成したスリット（１５７）を上向き状態で設置する。仕切パネル（１３４）、（１３６）の設置位置は、柱Ｌ側に仕切パネル（１３４）を、柱（Ｍ）側に仕切パネル（１３６）を固定するが、この固定方法としては、まず、柱（Ｍ）には全長にわたりコの字状に形成された溝が形成されているので、この溝に仕切パネル（１３６）の端面を挿入し、仕切パネル（１３４）の端面側は柱（Ｌ）に全長にわたり形成されている帯状のガイド板に、例えば両面接着テープが貼付されている面木（１５１）等によって押し当てて固定する。
【０１０４】
次に、図２８に示したように、中心部に少なくとも仕切パネル（１４４）、（１４６）の幅寸法の１／２の長さ寸法までスリットを形成し、その形成したスリット（１５５）を中心に一方面側を仕切パネル（１４４）に、他方面側に仕切パネル（１４６）を形成する。そして今度は形成したスリット（１５５）を下向きにした状態で、仕切パネル（１３６）、（１３４）に形成したスリット（１５７）に対応させ差し込むことで、この２つのスリット（１５７）と（１５５）とは互いに直交状態で固定される。このようにして横／縦パネルの下側の仕切パネルが形成され固定される。
【０１０５】
次に、このようにして形成し、下側に設置した縦／横の仕切パネルの上に、設置する上側の縦／横の仕切パネルを組み上げる構造を説明すると、図２９に示したようにまず、横パネルは下側に設置した仕切パネル（１３６）、（１３４）の長手方向の仕切パネルの端面上に、仕切パネル（１３７）、（１３５）を当接させ、その中心部を例えば両面接着テープ等を貼付した面木（１５１）等で押しつけて固定する。
【０１０６】
次に、縦パネルは、それぞれ２つに分割された仕切パネル（１４５）および（１４７）からなり、図示したように仕切パネル（１４６）、（１４４）の長手方向の仕切パネルの端面上に当接させながら、切り欠きの形成してある面側の端面を、互いに仕切パネル（１３５）に当接させつつ面木（１５１）等で接着し固定する。
【０１０７】
このようにして形成した縦／横パネルは、図３０に示したようにその中心となる軸部分が面木（１５１）で各仕切パネルの四方向から固定されているので、互いに直交状態が安定的に保たれる。
【０１０８】
このようにして形成された本発明の災害時用折り畳み式トイレは、側壁パネル（１１４）および（１１５）の内面において両面接着テープが貼付された面木（１５２）で固定されるので、強度補強が改善される。
【０１０９】
また、側壁パネル（１１４）および（１１５）自身についても、強度補強を施したのでその構造を以下に説明する。
【０１１０】
図３９に示したように側壁パネル（１１４）および（１１５）は、ポリプロピレン等の合成樹脂材料からなり、全長（高さ）が約１８００ｍｍ、幅が約６００ｍｍ、板厚が約６０ｍｍのものが、各ドア部材間に設置される。そして、その側壁パネルは、ドア部材の高さとほぼ同じ高さの独立したパネルをドア部材の幅に対応する間隔をおいて配置してなり、各側壁パネルは、第１実施例と同様に高さ方向を二分する中心線上にヒンジ（１１９）で連結し、その取付けたヒンジ（１１９）を支点により折曲自在に折り畳み可能になっているので、天井パネル（１１２）が吊り上げられた当初は、図３９に示したように側壁パネル（１１４）および（１１５）は、くの字状になりつつ直立される。
【０１１１】
しかし、この状態になっても、ヒンジ（１１９）で接続されている側壁（１１４）および（１１５）は、不安定なので、それぞれ、側壁パネル（１１４）および（１１５）の側面に取付た固定具（１１４ｃ）および（１１５ｃ）間を貫通するように、金属製のピン（１９９）を挿入し固定する構造にした（図４０参照）。
【０１１２】
そのような係止構造をとることにより図４１に示したように、各側壁パネル（１１４）および（１１５）が床パネル（１１３）に対して直角に設定されるので、ドア部材（１２７）等が正確に嵌められる。また、この側壁パネル（１１４）および（１１５）には、その内部にそれぞれポリプロピレン等の合成樹脂材料からなる補強部材（１１４ｂ）および（１１５ｂ）が内挿されており、側壁パネル（１１４）および（１１５）の内面全体にわたって、それぞれポリプロピレン等の合成樹脂材料からなる板厚約６ｍｍの補強板（１１４ａ）および（１１５ａ）が接着されている。
【０１１３】
次に、本発明の第２実施例に係る第８番目の項目に記載した便槽の構造について説明する。第２実施例の便槽は第１実施例の便槽より若干大きく形成使、便槽と直角方向に出入り口を別途設けたことである。
【０１１４】
この第２実施例の便槽（１０４）は堀込み式のコンクリートで造られる。そして、その底部および周壁の厚さは約３００ｍｍで造られ、それぞれ基本ユニットの内寸法は全体の長さが約６９００ｍｍ、幅が約１６００ｍｍ、深さが約１８００ｍｍ（任意）とからなる直方体の形状に造られている。そして、この便槽（１０４）と直角方向に出入口（１８０）を形成してある。
【０１１５】
この出入口（１８０）の大きさは、図３３（ａ）に示すように便槽（１０４）に長手方向の一辺上任意の位置に形成され、その大きさはいずれも内寸法で幅が約１０００ｍｍ、深さは便槽（１０４）と同じ約１８００ｍｍ（任意）とからなる直方体の形状に造られている。図３３（ｂ）は図３３（ａ）においてＸ−Ｘを断面図に示した図であり、出入口（１８０）の内部は大柄の人でも出入りしやすいように比較的広く造られている。図３４（ａ）に示したように、その正面口および内側壁には、人が出入りしやすいように、はしご（１８０ａ）および複数個のステップ（１８０ｂ）が設置されており、人の出入りの際は、図３４（ｂ）に示したように、はしご（１８０ａ）を引き上げながらはしご掛け（１８０ｃ）に引っかけ固定して使用する。
【０１１６】
そしてまた、安全に足場を確保するためには、内側壁に対向して設置したステップ（１８０ｂ）間に、それぞれステップ板（１８０ｄ）を載置することでより安全に荷物等の出し入れ作業することができるようになる。
【０１１７】
またこのようにして造られた出入口（１８０）も図３２（ａ）〜（ｃ）に示したように、便槽（１０４）の上部開口部は地上（１００）とほぼ同じ高さの位置まで埋設された後に蓋部材（１１１）で塞いでおく。また、さらにその蓋部材（１１１）の上から丈夫な防水加工を施した塩化ビニールシート等のカバー部材（１０３）で覆っておく。
【０１１８】
そして、その上から第１実施例同様に人工芝生等を敷いてその上を駐輪場とか子供の遊び場等に利用できるようにする。
【０１１９】
また、蓋部材（１１１）を補強する目的でこの蓋部材（１１１）の下面と便槽（１０４）の底部間に支柱（１４１）を介在させる。なお、この支柱（１４１）の先端が直接蓋部材（１１１）の下面と当接する個所には当て部材を、また、支柱（１４１）の下端が直接その底部に当接する個所には予め設置しておいたジャッキベース（１４２）に当てるようにする。そのようにすることで支柱（１４１）の高さの微調整が行えるようにしてある（図３５参照）。
【０１２０】
また、形成された便槽（１０１）の内部の便槽室（１０７）には例えば、吊り上げてトイレとして組立設置した時にトイレ室の組立部材となる、各仕切り板、大便器、小便器、車椅子用便器およびその手すり、ドアパネル類、支柱、支線、杭、面木、金づち、鋸、接着テープ、旗蝶板、その他避難の際に必要と考えられる例えば、消毒薬（手洗い、殺虫剤）、バケツ、洗面器等の部材や、カンパン等の食料等を収容しておくようにする。
【０１２１】
次に、本発明の第２実施例に係る第９番目の項目に記載した吊り上げロープを予め天井パネルに備え付け、迅速に吊り上げ作業が出来るようにしたものであり、その構造を図３６に示し説明する。
【０１２２】
図３６は本発明の第２実施例に係るトイレ室を形成するポリプロピレン等の合成樹脂材料からなる蓋部材（１１１）であり、図示したようにその両側近傍には、吊り上げロープ（１２０）が予め天井パネル（１１２）の補強部材（１８５）に金具にて取付てある。そして、吊り上げロープ（１２０）の先端は、その部分拡大図で示したように、その先端が輪状（１２０ａ）に縫い加工されている。先端が輪状（１２０ａ）に縫い加工されている理由としては、図３８に示したように天井パネル（１１２）を迅速に吊り上げられるようにするためである。
【０１２３】
また、天井パネル（１１２）の補強するための構造としては、図３６および図３７に示したように、天井パネル（１１２）の略中心を横方向に伸びる金属製の吊り上げフレーム（１１６）の両側方向に、金属製の補強部材（１８５）、（１８５）を溶接等によって接合し、魚の骨状に形成する。しかし、前述した車椅子用のトイレ上面は、その上部全体を補強する意味で、四角形状の補強部材（１８６）を吊り上げフレーム（１１６）に溶接等によって接合するようにした。そして、そのようにして形成された吊り上げフレーム（１１６）は、天井パネル（１１２）を挟み対応した位置で、補強部材（１８７）にビス（１８８）止めされている。
【０１２４】
次に、本発明の第２実施例に係る第１０番目に記載したトイレドアの止め具には、内側にスライド鍵を付け、トイレ組立時や不使用時における不要な開閉防止策として磁石を取付けた構造を図４２および４３に示し説明する。
【０１２５】
図４２はトイレ室内から外側に向かって見たドアの閉じ状態を示した図であり、ドア部材（１２７）の開口部上下には、それぞれ磁石（１９０）が接着剤等により取りつけてあり、その約中央部にはスライド鍵（１９５）がネジ止め等によって設置されている。この図４３は図４２を上方から見た図であり、ドアの開閉は取手（１９７）を持っておこなう。
【０１２６】
このドア部材（１２７）は全体をポリプロピレン等の合成樹脂材料で板厚３０ｍｍに形成されており、その表面にはポリプロピレン等の合成樹脂材料からなる板厚６ｍｍの補強板が接着されている。そして、ドア部材（１２７）は、ヒンジ（１９８）を介して行うが、そのヒンジ（１９８）の構造は、例えば、単純な構造で取り外しおよび引っ掛けで取付ができる抜き差し可能な旗蝶番を取付ておく。そのような旗蝶番を取付けておくことでこのドア部材（１２７）の取付を簡素化してる。
【０１２７】
この第２実施例では、ドア部材（１２７）はトイレ室の前面側に４枚、裏面側に４枚、全部で８枚設置できるように事前に側壁パネル（１１４）および（１１５）にドア部材取付部が形成されている。また、トイレ室の前面側に車椅子用のドアとして観音開きのドア部材が一箇所設置されているが、そのドア部材の取付構造は、ドア部材（１２７）の取付構造と同様なので、具体的な構造図およびその説明は省略する。
【０１２８】
このようにして取付られたドア部材の正面図を図４２に示す。
【０１２９】
次に、本発明の第２実施例に係る第１１番目の項目に記載した小便器の取付を蝶ナットを使用し手作業で取付けた構造を図４４に示し説明する。
【０１３０】
小便器（１２２）は仕切パネル（１３５−１）および（１３５−２）の外側に面して設置し、予めその場所には排尿口が複数個形成されている（この第２実施例では３個形成する。）ので、その排尿口の上部にそれぞれ小便器（１２２）と尿を排出する排尿管（１３０）を取付るだけで簡単に形成することが可能である。
【０１３１】
そして、このような方法で形成された小便所の両側部は側壁パネル（１１４）および（１１５）の一部で覆われるが、小便所の入口は簡単な構造にする目的から特に部材等で覆ってなく開放状態にしてある。しかし、この場所はこれに限ったものではなく、必要に応じてドア部材またはカーテン等を取付ても良い。
【０１３２】
【発明の効果】
以上説明してきたように、本発明によれば、その構成を便槽室が地下に設置され、その上に枠組みされたプレハブ式トイレ家屋を備えた非常時用組立式トイレにおいて、前記便槽室の上を折り畳まれた前記トイレ家屋で塞ぎつつ天井パネルを地上に露出させ、該露出させた天井パネルをそれより広い面積で覆ったカバー部材と、前記折り畳まれたトイレ家屋の内部に二つ折りしたドア取付部を有した側壁パネルを収納し、非常時に、前記天井パネルと共にカバー部材を吊り上げて天井を形成し、且つ前記側壁パネルを立てると共に、該側壁パネルに複数の大便用トイレドアを形成し、該大便用トイレ内部中央部を長手方向二つに分断する横長の仕切パネルと、該長手方向の仕切パネルに直交し幅方向を複数の仕切パネルとで仕切って複数の大便用トイレ室を形成するとしたため、まず、未使用時においては、その上面が有効的に使用することが出来る。そして、非常時には三股等を利用して吊り上げるだけで誰でも特別な技術を要していない人でも簡単に大規模なトイレ家屋を建てることができ、また、その内部を仕切る仕切パネルについても簡単にはめ込むだけで取付けができるという効果が得られる。
【０１３３】
また、側壁パネルは左右壁をそれぞれくの字状に折り畳み、該折り畳まれた背部分どうしを向けて設置し、該背間に前記トイレ家屋の長手方向に貫く天井パネルを支えるフレームを収納しているため、この吊り上げフレームの両端に吊り上げ紐を掛けて引き上げるだけで簡単に、特別な道具を使うこと無くトイレ家屋ができるという効果が得られる。
【０１３４】
また、カバー部材の裾部は、便槽室の周囲に蛇腹状に折り畳まれ埋設されているたため、普段使用しない時は邪魔にならずに保管しておくことが可能であり、また、便槽と折り畳んだ本体との接合部よりの水の浸透を防ぐという効果が得られる。
【０１３５】
また、カバー部材の裾部は、前記天井パネルの吊り上げと共に前記蛇腹が解け傾斜を有した庇状になるようにしたため、特別な部品等を追加することなく、簡単に設置することができるという効果が得られる。
【０１３６】
また、カバー部材は塩化ビニールシートであるので、入手が簡単で特別な加工も不必要であるという効果が得られる。
【０１３７】
また、庇状の裾部はその端部に形成した孔に支柱を挿通させ支えるようにしたため、その構造が簡単に支柱に支えることができ、特別な技術を要しないので誰でもできるという効果が得られる。
【０１３８】
また、便槽内には、トイレ家屋内部に設置するトイレ形成材料等の必要資材一式を収容しているため、災害発生時には誰でも直ぐにトイレを造るのに必要な材料を直ぐ発見することができるという効果が得られる。
【０１３９】
また、仕切パネルは二枚のパネルを上下に合わせて接続し形成してあるため、組合せ方がシンプルで誰でも間違うことなくでき、また、再利用する際の解体も簡単にできるという効果が得られる。
【０１４０】
また、天井を支える支柱部材を少なくともトイレ家屋の内部中央部分に設置したため、トイレ家屋全体が安定するという効果が得られる。
【０１４１】
また、小便用トイレはトイレ家屋の一端部に外方に開放して設け、複数の小便器が幅方向に連続して設置したため、狭い場所でも効率よく配置することができるという効果が得られる。
【０１４２】
また、便槽への出入口は便槽に対し直角方向へ設けたため、便槽の大きさに左右されずに出入口の大きさを形成することができるので、特に体の大きい人でも支障無く便槽内の保管物を取り出すことができるという効果が得られる。
【０１４３】
また、トイレ室内を幅方向に仕切る仕切パネルの挟持構造は、該仕切パネル上端部が接する天井パネルの内面に、仕切パネルの厚み方向を挟持する両面接着テープを有した旗蝶板を仕切パネルと直交する方向に接着し、仕切パネルを挟持する時は、一方の旗蝶板の接着を剥がすことで、旗蝶板の端側面部が垂れ下がり、その垂れ下がった端側面部間で、仕切パネルを挟持するようにしたため、簡単で確実な取付ができるという効果が得られる。
【０１４４】
また、側壁パネルは、ドア部材の高さとほぼ同じ高さの独立したパネルをドア部材の幅に対応する間隔をおいて配置し、高さ方向中央部でヒンジ連結により折曲自在に折り畳み可能な構造としたため、側壁パネルが軽量化できるので吊り上げる力が小力ですむ、また、材料費の低減化に貢献できるという効果が得られる。
【図面の簡単な説明】
【図１】本発明の第１実施例に係る災害時用折り畳み式トイレを地中に埋設した状態からそれを地上に引き上げて組み立て〜完了するまでの概略の流れを説明した図である。
【図２】本発明の第１実施例に係る災害時用折り畳み式トイレの組立状態を上から見た図である。
【図３】本発明の第１実施例に係るトイレ室を形成する蓋部材１１であり、折り畳んだ状態を示した斜視図である。
【図４】図３で示した蓋部材（１１）の構造を説明するために長手方向に対し直角に切断した断面図である。
【図５】図３で示した蓋部材（１１）のみを吊り上げた状態を説明した斜視図である。
【図６】図５で示した蓋部材（１１）を吊り上げる途中状態を説明するために長手方向に対し直角に切断した断面図である。
【図７】図５で蓋部材（１１）を完全に吊り上げた後、両妻パネルを組み入れた状態を斜視図で示し、ドア部材を取付る様子を示した図である。
【図８】図７の状態を正面図に示し、その地下に形成した便槽のみを断面に示した断面図である。
【図９】本発明の第１実施例に係る災害時用折り畳み式トイレの組立完成状態を斜視図で示し、その内部を部分断面図で示したものである。
【図１０】図７で示した妻パネル（２３）および（２４）の取付構造を示した図である。
【図１１】図９で示した仕切パネル（３４）、（３５）および（３６）、（３７）の組立方法を説明した図である。
【図１２】図９で示した仕切パネル（４４）および（４５）の組立方法を説明した図である。
【図１３】図９で示した仕切パネル（４６）および（４７）の組立方法を説明した図である。
【図１４】図９で示した（Ａ）部個所の部分断面を示した部分断面図である。
【図１５】図９で示した（Ｅ）部個所の部分断面を示した部分断面図である。
【図１６】図９で示した（Ｄ）部個所の部分断面を示した部分断面図である。
【図１７】図１１で示した（Ｂ）部個所の組立方法を説明した図である。
【図１８】図１１で示した（Ｃ）部個所の組立方法を説明した図である。
【図１９】図１２で示した仕切パネルの組立方法を説明した図である。
【図２０】図２で示した（Ｆ）部個所の詳細説明図である。
【図２１】本発明の第１実施例に係る災害時用折り畳み式トイレの組立完成状態を上から見た概略の見取り図である。
【図２２】図２１の状態より小便器が設置されているトイレ部分の床を外して開口させ便槽内部への出入口を説明した図である。
【図２３】本発明の第２実施例に係る災害時用折り畳み式トイレの見取り図である。
【図２４】図２３で示した（Ｋ）部箇所の組立構造を説明した図である。
【図２５】図２３で示した（Ｌ）部箇所の組立構造を説明した図である。
【図２６】図２３で示した（Ｍ）部箇所の組立構造を説明した図である。
【図２７】仕切パネルが天井パネルと床パネル間で係止されている構造を説明した図である。
【図２８】図２３で示した（Ｓ）部箇所の組立構造を説明した図である。
【図２９】図２３で示した（Ｓ）部箇所の組立構造を説明した図である。
【図３０】図２３で示した（Ｓ）部箇所の組立構造を説明した図である。
【図３１】図２３で示した（Ｓ）部箇所の組立構造を説明した図である。
【図３２】本発明の第２実施例に係る災害時用折り畳み式トイレを地中に埋設した状態からそれを地上に引き上げて組み立て〜完了するまでの概略の流れを説明した図である。
【図３３】本発明の第２実施例に係る災害時用折り畳み式トイレの便槽と出入口の取付箇所を説明した図である。
【図３４】本発明の第２実施例に係る災害時用折り畳み式トイレの出入口のみを断面図で示し説明した図である。
【図３５】図４１の状態を正面図に示し、その地下に形成した便槽のみを断面に示した断面図である。
【図３６】本発明の第２実施例に係るトイレ室を形成する蓋部材（１１１）であり、折り畳んだ状態を示した斜視図である。
【図３７】図３６の吊り上げフレームの取付構造を拡大図で示し説明した図である。
【図３８】図３６で示した蓋部材（１１１）のみを吊り上げた状態を説明した斜視図である。
【図３９】図３８で示した蓋部材（１１１）を吊り上げる途中状態を説明するために長手方向に対し直角に切断した断面図である。
【図４０】図３９の側壁パネルを固定具を用いて固定した状態を説明した図である。
【図４１】図３８で蓋部材（１１１）を完全に吊り上げた後、仕切パネルを組み入れた状態を斜視図で示し、ドア部材を取付る様子を示した図である。
【図４２】トイレ室内から外側に向かって見たドアの閉じ状態を説明した図である。
【図４３】図４２を上方から見た図である。
【図４４】本発明の第２実施例に係る小便器の取付を蝶ナットを使用し手作業で取付けた構造を説明した図である。
【符号の説明】
（２）    トイレ室組立部材
（４）  便槽
（７）  便槽室
（１１）  蓋部材
（１２）    天井パネル
（１３）  床パネル
（１４）  側壁パネル
（１５）    側壁パネル
（１６）  吊り上げフレーム
（１７）    フレーム
（１８）    あて部材
（１９ａ）    ヒンジ
（１９ｂ）  ヒンジ
（２０）    吊り上げロープ
（２１）    大便器
（２２）    小便器
（２３）    妻パネル
（２４）    妻パネル
（２７）    ドア部材
（３２）  支柱挿入孔
（３３）    支柱挿入孔
（３４）    仕切パネル
（３５）    仕切パネル
（３６）    仕切パネル
（３７）  仕切パネル
（３９）  あて布
（４１）  支柱
（４４）  仕切パネル
（４５）  仕切パネル
（４６）  仕切パネル
（４７）  仕切パネル
（６１）  柱
（１０４）  便槽
（１０７）  便槽室
（１１２）  天井パネル
（１１３）  床パネル
（１１４）  側壁パネル
（１１５）    側壁パネル
（１１９）  旗蝶番
（１２７）  ドア部材
（１３５−１）  仕切パネル
（１３５−２）  仕切パネル
（１７１）  ピン
（１８０）  出入口
（Ｋ）  柱
（Ｌ）  柱
（Ｍ）  柱
（Ｎ）  柱
【図１】
2004251098.tif 000003
【図２】
2004251098.tif 000004
【図３】
2004251098.tif 000005
【図４】
2004251098.tif 000006
【図５】
2004251098.tif 000007
【図６】
2004251098.tif 000008
【図７】
2004251098.tif 000009
【図８】
2004251098.tif 000010
【図９】
2004251098.tif 000011
【図１０】
2004251098.tif 000012
【図１１】
2004251098.tif 000013
【図１２】
2004251098.tif 000014
【図１３】
2004251098.tif 000015
【図１４】
2004251098.tif 000016
【図１５】
2004251098.tif 000017
【図１６】
2004251098.tif 000018
【図１７】
2004251098.tif 000019
【図１８】
2004251098.tif 000020
【図１９】
2004251098.tif 000021
【図２０】
2004251098.tif 000022
【図２１】
2004251098.tif 000023
【図２２】
2004251098.tif 000024
【図２３】
2004251098.tif 000025
【図２４】
2004251098.tif 000026
【図２５】
2004251098.tif 000027
【図２６】
2004251098.tif 000028
【図２７】
2004251098.tif 000029
【図２８】
2004251098.tif 000030
【図２９】
2004251098.tif 000031
【図３０】
2004251098.tif 000032
【図３１】
2004251098.tif 000033
【図３２】
2004251098.tif 000034
【図３３】
2004251098.tif 000035
【図３４】
2004251098.tif 000036
【図３５】
2004251098.tif 000037
【図３６】
2004251098.tif 000038
【図３７】
2004251098.tif 000039
【図３８】
2004251098.tif 000040
【図３９】
2004251098.tif 000041
【図４０】
2004251098.tif 000042
【図４１】
2004251098.tif 000043
【図４２】
2004251098.tif 000044
【図４３】
2004251098.tif 000045
【図４４】
2004251098.tif 000046
【手続補正書】
【提出日】平成16年2月3日(2004.2.3)
【手続補正１】
【補正対象書類名】明細書
【補正対象項目名】特許請求の範囲
【補正方法】変更
【補正の内容】
【特許請求の範囲】
【請求項１】
多量のふん尿を収納し得る容積を有し、上面を開放しつつ地中に画成された便槽室と、側壁パネルをく字状に折曲して床パネル、側壁パネル及び天井パネルを平坦な形態に折り畳んでなり、前記便槽室の上面に配置して開放面を閉塞し得るトイレ家屋とからなり、天井パネルを吊り上げて側壁パネルを直立させ、家屋の側面を作出し、トイレ家屋内を長手方向で仕切る仕切パネルと、トイレ家屋内を幅方向に仕切る仕切パネルとにより、トイレ家屋内を複数の大便用トイレ室に区画し、該大便用トイレ室に整合して側壁パネルにドアで開閉自在とした開口部を形成したことを特徴とする災害時用折り畳み式トイレ。
【請求項２】
前記トイレ家屋内に形成した大便用トイレ室の少なくとも一つが、車椅子で出入りすることの出来る空間に形成され、該トイレ室内に車椅子用便器及び手すり等の車椅子使用者が利用するに適した設備を設置するようにしたことを特徴とする請求項１記載の災害時用折り畳み式トイレ。
【請求項３】
前記トイレ家屋内に形成された大便用トイレ室は、床面が地表面と段差無く形成されており、車椅子使用者が容易に出入りすることが出来るようになっていることを特徴とする請求項２記載の災害時用折り畳み式トイレ。
【請求項４】
前記側壁パネルは左右壁をそれぞれくの字状に折り畳み、該折り畳まれた背部分どうしを向けて設置し、該背間に前記トイレ家屋の長手方向に貫く天井パネルを支えるフレームを収納していることを特徴とする請求項１記載の災害時用折り畳み式トイレ。
【請求項５】
平坦な形状に折り畳まれたトイレ家屋の上面を、防水性のカバー部材で被覆し、該カバー部材の裾部は、便槽室の周囲に蛇腹状に折り畳まれ埋設されていることを特徴とする請求項１記載の災害時用折り畳み式トイレ。
【請求項６】
前記カバー部材の裾部は、前記天井パネルの吊り上げと共に前記蛇腹が解け傾斜を有した庇状になることを特徴とする請求項５記載の災害時用折り畳み式トイレ。
【請求項７】
前記庇状の裾部はその端部に形成した孔に支柱を挿通させ支えるようにしたことを特徴とする請求項６記載の災害時用折り畳み式トイレ。
【請求項８】
前記便槽内には、トイレ家屋内部に設置するトイレ形成材料等の必要資材一式を収容していることを特徴とする請求項１記載の災害時用折り畳み式トイレ。
【請求項９】
前記天井を支える支柱部材を少なくともトイレ家屋の内部中央部に設置したことを特徴とする請求項１記載の災害時用折り畳み式トイレ。
【請求項１０】
小便用トイレはトイレ家屋の一端部に外方に開放して設け、複数の小便器が幅方向に連続して設置したことを特徴とする請求項１記載の災害時用折り畳み式トイレ。
【請求項１１】
便槽への出入口は便槽に対し直角方向へ設けたことを特徴とする請求項１記載の災害時用折り畳み式トイレ。
【請求項１２】
側壁パネルは、ドア部材の高さとほぼ同じ高さの独立したパネルをドア部材の幅に対応する間隔をおいて配置し、高さ方向中央部でヒンジ連結により折曲自在に折り畳み可能な構造としたことを特徴とする請求項１記載の災害時用折り畳み式トイレ。
【手続補正２】
【補正対象書類名】明細書
【補正対象項目名】０００８
【補正方法】変更
【補正の内容】
【０００８】
【課題を解決するための手段】
上記課題を解決するためにこの発明が採った手段は、多量のふん尿を収納し得る容積を有し、上面を開放しつつ地中に画成された便槽室と、側壁パネルをく字状に折曲して床パネル、側壁パネル及び天井パネルを平坦な形態に折り畳んでなり、前記便槽室の上面に配置して開放面を閉塞し得るトイレ家屋とからなり、天井パネルを吊り上げて側壁パネルを直立させ、家屋の側面を作出し、トイレ家屋内を長手方向で仕切る仕切パネルと、トイレ家屋内を幅方向に仕切る仕切パネルとにより、トイレ家屋内を複数の大便用トイレ室に区画し、該大便用トイレ室に整合して側壁パネルにドアで開閉自在とした開口部を形成したことを特徴とする。


【手続補正３】
【補正対象書類名】明細書
【補正対象項目名】０００９
【補正方法】変更
【補正の内容】
【０００９】
また、前記トイレ家屋内に形成した大便用トイレ室の少なくとも一つが、車椅子で出入りすることの出来る空間に形成される、該大便室内に車椅子用便器及び手すり等の車椅子使用者が利用するに適した設備を設置するようにしたことを特徴とする。
【手続補正４】
【補正対象書類名】明細書
【補正対象項目名】００１０
【補正方法】変更
【補正の内容】
【００１０】
前記トイレ家屋内に形成された大便用トイレ室は、床面が地表面と段差無く形成されており、車椅子使用者が容易に出入りすることが出来るようになっていることを特徴とする請求項２記載の災害時用折り畳み式トイレ。
【手続補正５】
【補正対象書類名】明細書
【補正対象項目名】００１１
【補正方法】変更
【補正の内容】
【００１１】
また、側壁パネルは左右壁をそれぞれくの字状に折り畳み、該折り畳まれた背部分どうしを向けて設置し、該背間に前記トイレ家屋の長手方向に貫く天井パネルを支えるフレームを収納していることを特徴とする。


【手続補正６】
【補正対象書類名】明細書
【補正対象項目名】００１２
【補正方法】変更
【補正の内容】
【００１２】
また、平坦な形状に折り畳まれたトイレ家屋の上面を、防水性のカバー部材で被覆し、該カバー部材の裾部は、便槽室の周囲に蛇腹状に折り畳まれ埋設され、天井パネルの吊り上げと共に前記蛇腹が解け傾斜を有した庇状になるていることを特徴とする。


【手続補正７】
【補正対象書類名】明細書
【補正対象項目名】００１３
【補正方法】変更
【補正の内容】
【００１３】
また、庇状の裾部はその端部に形成した孔に支柱を挿通させ支えるようにしたことを特徴とする。


【手続補正８】
【補正対象書類名】明細書
【補正対象項目名】００１４
【補正方法】変更
【補正の内容】
【００１４】
また、便槽内には、トイレ家屋内部に設置するトイレ形成材料等の必要資材一式を収容していることを特徴とする。


【手続補正９】
【補正対象書類名】明細書
【補正対象項目名】００１５
【補正方法】変更
【補正の内容】
【００１５】
前記天井を支える支柱部材を少なくともトイレ家屋の内部中央部に設置したことを特徴とする。


【手続補正１０】
【補正対象書類名】明細書
【補正対象項目名】００１６
【補正方法】変更
【補正の内容】
【００１６】
小便用トイレはトイレ家屋の一端部に外方に開放して設け、複数の小便器が幅方向に連続して設置したことを特徴とする。


【手続補正１１】
【補正対象書類名】明細書
【補正対象項目名】００１７
【補正方法】変更
【補正の内容】
【００１７】
また、便槽への出入口は便槽に対し直角方向へ設けたことを特徴とする。


【手続補正１２】
【補正対象書類名】明細書
【補正対象項目名】００１８
【補正方法】変更
【補正の内容】
【００１８】
また、側壁パネルは、ドア部材の高さとほぼ同じ高さの独立したパネルをドア部材の幅に対応する間隔をおいて配置し、高さ方向中央部でヒンジ連結により折曲自在に折り畳み可能な構造としたことを特徴とする。


【手続補正１３】
【補正対象書類名】明細書
【補正対象項目名】００１９
【補正方法】削除
【補正の内容】
【手続補正１４】
【補正対象書類名】明細書
【補正対象項目名】００８３
【補正方法】変更
【補正の内容】
【００８３】
次に、上述した第１実施例と相違する第１番目〜第１１番目の項目の構造を以下に説明する。まず、第１番目の項目として大きな相違点である、車椅子が入るスペースは、図２３〜図２４に示したように小便器取付部(128)と反対側に小部屋に区画された大便用トイレ室の約４倍程の面積のスペース空間部Ｒを確保し、その内部に所定の便器および手すり等車椅子の使用者に支障の無い設備を設置した。この車椅子使用者用の大便用トイレ室は、図３２（ｃ）、図３５に示されるように、その床面が地表面と段差を生じない高さ位置となるように形成されており、車椅子による出入りを容易に行うことが出来るようになっている。以下このスペース空間部Ｒの形成方法について、図２４〜図３２を参照しつつ説明する。